(57)【要約】【課題】  低年齢の子供が予め揃えられた部品、材料を用いて遊び感覚で簡単に組付けることができるカプセル状装飾品を作成する玩具用組付け器を提供すること。【解決手段】  セット位置（イ）にて、底蓋７５を固定台３５に、レンズ体７１を供給ホルダー５７にセットすると共に所望のイラスト類が表されたシート８５を収めたシートホルダー８０を差込口２０に差し込み、その状態でノブ２４を一方向に回転操作して回転盤２５をシートカット位置（ロ）に停止させ、その位置にてパンチ用押釦４５を押圧することにより打ち抜かれたシート片８６を底蓋７５上に載置させ、ノブ２４を前記方向と逆方向に回転操作して回転盤２５をプレス位置（ハ）に停止させ、その位置でプレス用押釦５３を押圧して可動部材３６上のレンズ体７１を下降させることによりレンズ体７１を底蓋７５に嵌着させてそれらを一体化させる。【選択図】  図１
2006271679.tif 000002
【特許請求の範囲】
【請求項１】
本体に回転自由に設けられた縦向きの回転軸に回転盤を固定し、その回転盤をカプセル状装飾品の構成部品である底蓋とレンズ体のセット位置（イ）、シートカット位置（ロ）及びプレス位置（ハ）に回転停止可能に設け、その本体の周縁部から回転盤の上方に架設された支持枠に、下端に穴抜き刃を設けたパンチ用押釦と、下端に押圧部を設けたプレス用押釦とを該回転軸を中心としてその両側に同一間隔に配置し、それらパンチ用押釦とプレス用押釦の夫々を上下方向に移動可能に設け、かつ、各押釦内に装着されたバネにより常に上方に付勢されるように設け、その回転盤の所定位置に形成された凹部内に、前記底蓋を落とし込まれた状態で載置する固定台と、前記レンズ体を支持することができるように該固定台を囲むように配置されて出没自在に設けられた可動部材とを設け、レンズ体を所定位置に保持する供給ホルダーを前記回転盤の上面に配置し、かつ、その供給ホルダーを回転盤の回転動作に伴ってセット位置（イ）とプレス位置（ハ）との間を追従可能に設け、前記支持枠の側部に、前記パンチ用押釦の穴抜き刃の大きさよりもやや大きな穴が形成されたシートホルダーを挿入可能な差込口を該穴抜き刃の位置に対応するように設け、
セット位置（イ）において、前記固定台上に底蓋を、その底蓋を嵌着可能な開口部が形成されたレンズ体を上向きの姿勢で供給ホルダーに夫々セットすると共に所望のイラスト・写真類が表されたシートを収めたシートホルダーを該差込口に差し込み、その状態にて前記回転軸に固定されたノブを一方向に回転操作して回転盤をシートカット位置（ロ）に停止させ、そのシートカット位置（ロ）にてパンチ用押釦を押圧することにより前記シートから所定の大きさのイラスト・写真類が打ち抜かれたシート片を底蓋上に載置させ、ついで、ノブを前記方向と逆方向に回転操作して回転盤をプレス位置（ハ）に停止させ、そのプレス位置（ハ）にてプレス用押釦を押圧して前記可動部材上のレンズ体を下降させることにより当該レンズ体の開口部を底蓋に嵌着させてレンズ体と該底蓋とを一体化させた後、ノブを再び回転操作して回転盤を元のセット位置（イ）に復帰させた状態にてシート片が封入されたカプセル状装飾品を取り出すことができるように構成したことを特徴とするカプセル状装飾品を作成する玩具用組付け器。
【請求項２】
前記回転盤と前記本体との間に節度機構が介装されていて、その回転盤をセット位置（イ）、シートカット位置（ロ）及びプレス位置（ハ）の夫々の位置に停止保持可能に設けたことを特徴とする請求項１に記載のカプセル状装飾品を作成する玩具用組付け器。
【請求項３】
前記シートホルダーは、前記シートを挟んで収めることができるように設けられていることを特徴とする請求項１又は２に記載のカプセル状装飾品を作成する玩具用組付け器。
【請求項４】
前記レンズ体は、凸レンズ形状であって、その外周縁を円形若しくは多角形に形成されていることを特徴とする請求項１から３の何れかに記載のカプセル状装飾品を作成する玩具用組付け器。
【請求項５】
前記供給ホルダーは、前記回転軸に外側から嵌められて弾力的に接触可能なアーム部を一体に形成したホルダー本体と、そのホルダー本体の先端部に着脱自由に設けられた駒片とからなり、その駒片に前記レンズ体の外周縁を遊嵌させる係止穴を設けたことを特徴とする請求項１から４の何れかに記載のカプセル状装飾品を作成する玩具用組付け器。
【請求項６】
両面に接着剤層が設けられて一方の面に保護片が貼着された固定用円形片を前記底蓋に貼着することを特徴とする請求項１から５の何れかに記載のカプセル状装飾品を作成する玩具用組付け器。
【発明の詳細な説明】
【技術分野】
【０００１】
本発明は、イラスト・写真類が切り抜かれたシート片が封入されたカプセル状装飾品を作成する玩具用組付け器に関するものである。
【背景技術】
【０００２】
ピンポン球程度の大きさを有する球形状カプセルの中に動物、恐竜、様々なミニチュアフイギュア等を収めたおもちゃは古くから知られている。そのカプセル自体については、ミニチュアフイギュア等の保管、販売及び取扱いに便利な容器として専ら使用されており、カプセルからミニチュアフイギュア等を取り出さなくて収容したままの状態でカプセルを飾ったりすることを目的とするものではない、と言えよう。
【０００３】
登録第３０００７５９号登録実用新案公報には、ほぼ球状本体の正面に写真、各種シート状印刷物を取り付け可能とした飾り平面を設け、上面側に小物の収容或は花等の生けこみができる穴を表面から内部に向かって形成した構造の「ボール状飾り容器」が開示されている。
【０００４】
ところが、イラスト・写真類のシート片が小形のカプセル状容器に封入されていて、そのイラスト・写真類がレンズ作用により拡大されて表れる子供向けの装飾品については、見当らない。さらには、この種装飾品を予め揃えられた構成部品・材料を用いて低年齢の子供が遊び感覚で素早く組付けることができる器具に関しては、未だ提案されていないようである。
【特許文献１】登録第３０００７５９号登録実用新案公報
【発明の開示】
【発明が解決しようとする課題】
【０００５】
本発明の目的は、低年齢の子供が予め揃えられた部品、材料を用いて遊び感覚で簡単に組付けることができると共に作成自体を楽しむことが可能なカプセル状装飾品を作成する玩具用組付け器を提供することにある。
【課題を解決するための手段】
【０００６】
前記目的を達成するために請求項１に記載した発明は、本体に回転自由に設けられた縦向きの回転軸に回転盤を固定し、その回転盤をカプセル状装飾品の構成部品である底蓋とレンズ体のセット位置（イ）、シートカット位置（ロ）及びプレス位置（ハ）に回転停止可能に設け、その本体の周縁部から回転盤の上方に架設された支持枠に、下端に穴抜き刃を設けたパンチ用押釦と、下端に押圧部を設けたプレス用押釦とを該回転軸を中心としてその両側に同一間隔に配置し、それらパンチ用押釦とプレス用押釦の夫々を上下方向に移動可能に設け、かつ、各押釦内に装着されたバネにより常に上方に付勢されるように設け、その回転盤の所定位置に形成された凹部内に、前記底蓋を落とし込まれた状態で載置する固定台と、前記レンズ体を支持することができるように該固定台を囲むように配置されて出没自在に設けられた可動部材とを設け、レンズ体を所定位置に保持する供給ホルダーを前記回転盤の上面に配置し、かつ、その供給ホルダーを回転盤の回転動作に伴ってセット位置（イ）とプレス位置（ハ）との間を追従可能に設け、前記支持枠の側部に、前記パンチ用押釦の穴抜き刃の大きさよりもやや大きな穴が形成されたシートホルダーを挿入可能な差込口を該穴抜き刃の位置に対応するように設け、
セット位置（イ）において、前記底蓋を固定台上に、その底蓋を嵌着可能な開口部が形成されたレンズ体を上向きの姿勢で供給ホルダーに夫々セットすると共に所望のイラスト・写真類が表されたシートを収めたシートホルダーを該差込口に差し込み、その状態にて前記回転軸に固定されたノブを一方向に回転操作して回転盤をシートカット位置（ロ）に停止させ、そのシートカット位置（ロ）にてパンチ用押釦を押圧することにより前記シートから所定の大きさのイラスト・写真類が打ち抜かれたシート片を底蓋上に載置させ、ついで、ノブを前記方向と逆方向に回転操作して回転盤をプレス位置（ハ）に停止させ、そのプレス位置（ハ）にてプレス用押釦を押圧して前記可動部材上のレンズ体を下降させることにより当該レンズ体の開口部を底蓋に嵌着させてレンズ体と該底蓋とを一体化させた後、ノブを再び回転操作して回転盤を元のセット位置（イ）に復帰させた状態にてシート片が封入されたカプセル状装飾品を取り出すことができるように構成したことを特徴とする。
【０００７】
同様の目的を達成するために請求項２に記載した発明は、請求項１に記載のカプセル状装飾品を作成する玩具用組付け器において、前記回転盤と前記本体との間に節度機構が介装されていて、その回転盤をセット位置（イ）、シートカット位置（ロ）及びプレス位置（ハ）の夫々の位置に停止保持可能に設けたことを特徴とするものである。
【０００８】
同様の目的を達成するために請求項３に記載した発明は、請求項１又は２に記載のカプセル状装飾品を作成する玩具用組付け器において、前記シートホルダーは、前記シートを挟んで収めることができるように設けられていることを特徴とするものである。
【０００９】
同様の目的を達成するために請求項４に記載した発明は、請求項１から３の何れかに記載のカプセル状装飾品を作成する玩具用組付け器において、前記レンズ体は、凸レンズ形状であって、その外周縁を円形若しくは多角形に形成されていることを特徴とするものである。
【００１０】
同様の目的を達成するために請求項５に記載した発明は、請求項１から４の何れかに記載のカプセル状装飾品を作成する玩具用組付け器において、前記供給ホルダーは、前記回転軸に外側から嵌められて弾力的に接触可能なアーム部を一体に形成したホルダー本体と、そのホルダー本体の先端部に着脱自由に設けられた駒片とからなり、その駒片に前記レンズ体の外周縁を遊嵌させる係止穴を設けたことを特徴とするものである。
【００１１】
同様の目的を達成するために請求項６に記載した発明は、請求項１から５の何れかに記載のカプセル状装飾品を作成する玩具用組付け器において、両面に接着剤層が設けられて一方の面に保護片が貼着された固定用円形片を前記底蓋に貼着することを特徴とするものである。
【発明の効果】
【００１２】
（請求項１の発明）
このカプセル状装飾品を作成する玩具用組付け器は、レンズ体、底蓋を所定箇所に夫々セットし、所望のイラスト・写真類が表されたシートを収めたシートホルダーを差込口に差し込んだ状態として手動で回転盤の回転停止位置を変えつつ、パンチ用押釦やプレス用押釦による各工程作業を施すことにより、封入されたイラスト・写真類がレンズ作用により拡大されて表れるカプセル状装飾品を、低年齢の子供が遊び感覚で楽しみつつ簡単に組付けることができる。加えて、出来上がったカプセル状装飾品を好みの場所に貼り付けて飾ったり、マスコットとして愛用することもできる副次的効果も有する。
【００１３】
（請求項２の発明）
このカプセル状装飾品を作成する玩具用組付け器は、回転盤を節度機構によってセット位置（イ）、シートカット位置（ロ）及びプレス位置（ハ）の夫々の位置に停止保持することができるので、レンズ体等のセットや各位置における作業を安定して行なうことができる。
【００１４】
（請求項３の発明）
このカプセル状装飾品を作成する玩具用組付け器は、シートをシートホルダーにより挟んで収めることができるので、低年齢の子供でも本器へのセット作業が行ない易い。
【００１５】
（請求項４の発明）
このカプセル状装飾品を作成する玩具用組付け器は、レンズ体を凸レンズ形状としており、封入されるイラスト・写真類がレンズ作用により拡大されて表れることから子供に対して興味を惹起させることが可能である。
【００１６】
（請求項５の発明）
このカプセル状装飾品を作成する玩具用組付け器は、供給ホルダーをホルダー本体と駒片との別体構造としいるので、外周縁の異なる形状とされたレンズ体に対応させることができる。
【００１７】
（請求項６の発明）
このカプセル状装飾品を作成する玩具用組付け器は、底蓋の外面となる箇所に固定用円形片を貼着するようにしており、出来上がったカプセル状装飾品を好みの場所に貼り付けて飾るのに便利である。
【発明を実施するための最良の形態】
【００１８】
以下に、本発明の最良の形態例を図面に基づいて説明する。図１は本発明のカプセル状装飾品を作成する玩具用組付け器の斜視図、図２は同、平面図、図３は玩具用組付け器の要部を示す縦断正面図、図４は本体の上部ケースを除いた状態で示す玩具用組付け器の斜視図、図５は駒片の平面図、図６はカプセル状装飾品の平面図、図７はカプセル状装飾品の分解斜視図、図８はシートホルダーの斜視図、図９はシートをシートホルダーに収める様子を示した説明図、図１０は他の形態のレンズ体を示す平面図、図１１は底蓋外し具をカプセル状装飾品に対応させて示す斜視図、図１２はカプセル状装飾品の底蓋を底蓋外し具によって取外す要領を示す説明図である。
【００１９】
本発明の「カプセル状装飾品を作成する玩具用組付け器」Ａは、封入されるイラスト・写真類がレンズ作用により拡大されて表れる（図６に示す）カプセル状装飾品を作成するものであり、中央のノブ２４を回転操作することにより回転盤２５を、カプセル状装飾品７０の構成部品であるレンズ体７１と底蓋７５をセットするセット位置（イ）、イラスト・写真類が印刷等により表されたシート８５から所定の大きさのイラスト・写真類を打ち抜くシートカット位置（ロ）及びレンズ体７１・シート片８６・底蓋７５の３つの部品を一体に組付けるプレス位置（ハ）に回転停止可能とし、そのノブ２４の両隣で回転盤２５の上方にパンチ用押釦４５とプレス用押釦５３を配置した概要構成とされている。
以下にその構造につき詳しく説明する。
【００２０】
なお、この明細書においては、回転盤２５（固定台３５）がセット位置（イ）にあるときに、便宜上、供給ホルダー５７についてもセット位置（イ）にあるとして説明した。
【００２１】
この玩具用組付け器Ａの合成樹脂製の本体１は、底ケース２と上ケース１０の二つに分割して形成されている。
【００２２】
その底ケース２は、図３に示すように、外周縁部２ａよりも少し高い円柱状の軸受部３が中心部に形成された円形皿形状とされ、その軸受部３の中心に所定深さの軸受穴４が縦向きに設けられると共に当該軸受部３の外周面３ａの所定箇所に縦向きの係止溝５が形成されている。その係止溝５は節度機構３０の構成要素の一部をなすものである。６は底ケース２の適宜箇所に内方へ突出するように配設されたボスであり、そのボス６は固定用ビスを挿通することができるように設けられている。
【００２３】
上ケース１０は、図２に示すように、円盤形基部１１の周縁から上方に立ち上がって直径方向へ延びてから反対側の周縁に下がるように支持枠１２を一体に架設し、その支持枠１２の前側部１２ａと円盤形基部１１との間を開放して開口部１３を形成すると共に当該支持枠１２の後側部１２ｂと円盤形基部１１との間を連続するように設けられている。図３に示すように、その支持枠１２には、前記底ケース２のボス６に対応する位置にボス１４を設け、円盤形基部１１の中心位置に相当する位置に段付穴１５を設けると共に当該段付穴１５の中心を中心として両側に同一間隔に穴１６，１８を設けている。それら穴１６，１８の周辺下方には、ボス１７，１９を設けている。
なお、支持枠１２の前側部１２ａには、後記シートホルダーを挿入可能な横向きの差込口２０を設ける。
【００２４】
しかして、本体１は上ケース１０を底ケース２に合着してから、ボス６に通した固定用ビス２１を締め付けることにより両者を一体化するように設けられている。
【００２５】
回転軸２２は、上記底ケース２の軸受穴４に下端部を遊嵌すると共に鍔２２ａを上ケース１０の段付穴１５の大径部１５ａに遊嵌することにより回転自由に設けられている。この回転軸２２の上端部にはノブ２４が固定され、その下端部には回転盤２５の中心に形成された軸筒２５ａが挿入されて固定されている。
【００２６】
３０は回転盤２５の下部に設けられた節度機構である（図３）。その回転盤２５の下部に形成されたバネ室２６にはコイルバネ３１と鋼球３２とを収容し、その鋼球３２をコイルバネ３１によって上記軸受部３の外周面３ａに弾接するように設けられている。また、回転盤２５は、前記底ケース２の係止溝５に鋼球３２が係合することによりセット位置（イ）、シートカット位置（ロ）及びプレス位置（ハ）に停止保持可能に設けられている。そのシートカット位置（ロ）は上記回転軸２２を中心とするセット位置（イ）に対して角度７０°、プレス位置（ハ）はセット位置（イ）に対して角度１１０°に夫々配置されている。
【００２７】
回転盤２５の所定位置に形成された凹部２７内には、前記底蓋７５を落とし込まれた状態で載置するための固定台３５と、その固定台３５を囲むように前記レンズ体７１を支持するための可動部材３６とが配置されている。そのリング形の可動部材３６は、コイルバネ３７によって底部３６ａの内面を固定台３５の外周縁下面に当接可能に付勢され、その固定台３５に対して出没自在に設けられている。その可動部材３６の上面は、上昇端位置にあるときに、回転盤２５の上面とほぼ同じ高さに設けられている。
【００２８】
４１は前記ボス１７の下部に固定された案内部材である。その案内部材４１には、縦方向に案内穴４２を設けると共に前記支持枠１２の長手方向に対して水平で、かつ、直交する方向に後記シートホルダー８０を挿入するための開口部４３を設けている。４５は前記穴１６から頭部４５ａを突出させ、下端外周に形成された鍔４５ｂを穴１６の下縁に当接可能に設けたパンチ用押釦である。そのパンチ用押釦４５の内方には穴抜き刃４６を配置し、その穴抜き刃４６の上端外周の鍔４６ａと上記案内部材４１との間に装着されるバネ４７により当該押釦４５を常に上方に付勢するように設けられている。
しかして、パンチ用押釦４５は、穴抜き刃４６の先端部を案内穴４２に嵌合させた状態で上下方向に移動自在に設けられている。
【００２９】
５１は前記ボス１９の下部に固定された案内部材である。その案内部材５１には、縦方向に案内穴５２を設けている。５３は前記穴１８から頭部５３ａを突出させ、下端外周に形成された鍔５３ｂを穴１８の下縁に当接可能に設けたプレス用押釦である。そのプレス用押釦５３の中心部には、断面十文字形の軸部５４を一体に形成し、頭部５３ａの内下面と上記案内部材５１との間に装着されるバネ５５により当該押釦５３を常に上方に付勢するように設けられている。
しかして、プレス用押釦５３は、軸部５４の押圧部５４ａ側を案内穴５２に嵌合させた状態で上下方向に移動自在に設けられている。
【００３０】
５７はレンズ体７１を所定位置に保持するための供給ホルダーであり、この供給ホルダー５７は、ホルダー本体５８と当該ホルダー本体に着脱自由に設けられた駒片６１とからなる。図４に示すように、そのホルダー本体５８は、前記回転軸２２に外側から嵌めて弾力的に接触可能なアーム部５９を一体に形成すると共に該アーム部５９のほぼ反対側の箇所に係合凹部６０を設けている。図５に示すように、その駒片６１はほぼ台形板形状とされており、円形の外周縁を有するレンズ体７１若しくは多角形の外周縁を有する各種レンズ体を遊嵌可能な係止穴６２を設けると共に該係止穴６２の左右箇所に突部６３ａ，６３ｂを設けている。その駒片６１の上底側の周縁部６１ａは、ホルダー本体５８の係合凹部６０に嵌合可能に設けられている。
【００３１】
また、この供給ホルダー５７については、セット位置（イ）にある固定台３５に対して角度５０°だけプレス位置（ハ）寄りに待機するように設けられ、回転盤２５の回転動作に伴ってセット位置（イ）とプレス位置（ハ）との間を追従可能に設けられている。詳しくは、回転盤２５を反時計方向へ回転させる場合、回転盤２５は、供給ホルダー５７の側面５７ａを支持枠１２に設けられたストッパー部１２ｃに当接させることにより、回転を規制されるように設けられている。
【００３２】
なお、上記供給ホルダー５７は、外周縁の形状の異なるレンズ体に対応させるためにホルダー本体５８と駒片６１を別体構造としているが、レンズ体の外周縁が特定されたものである場合には係止穴を一定形状とすることができるため、両者を一体化した構造とすることができる。
【００３３】
図６に示すカプセル状装飾品７０は、レンズ体７１と、底蓋７５と、イラスト・写真類が印刷等により表されたシート８５から所定の大きさのイラスト・写真類を本発明の玩具用組付け器Ａを用いて打ち抜かれたシート片８６とから構成される。その合成樹脂製の透明なレンズ体７１は、外周縁７１ａを円形に形成された凸レンズ形状であって、平坦な裏面７１ｂ側に所定深さの開口部７２が形成されている。その合成樹脂製の底蓋７５は円板形状で、その中心に小形の長穴７６を形成する共に該長穴７６から外周縁７５ａまで延びるスリット７７を設けている。その底蓋７５の内側となる面７５ｂの中心には、所定深さの穴７８を形成している。
【００３４】
この実施形態例では、円形の外周縁を有するレンズ体７１を用いているが、これ以外に、例えば図１０に示す五角形の外周縁を有するレンズ体７３のような形態とすることもできる。また、レンズ部分についても凸レンズ形状に限らず、ダイヤモンドカット形状とすることも可能である。
【００３５】
図８において、シートホルダー８０は合成樹脂製の薄板を中央で折り、折られた薄板片８０ａ，８０ａが互に密着するように設けられていて、その折曲部８１寄りに前記パンチ用押釦４５の穴抜き刃４６の大きさよりもやや大きな穴８２が夫々形成されている。
【００３６】
以上により、本発明の「カプセル状装飾品を作成する玩具用組付け器」Ａ及びこれに付属する各種部品が構成される。
【００３７】
つぎに、上記構成になる本発明の玩具用組付け器Ａの使い方について説明する。
（１）まず、セット位置（イ）において、底蓋７５を回転盤２５の固定台３５上にセットし、レンズ体７１を上向きの姿勢で供給ホルダー５７の係止穴６２にセットする（図２）。なお、底蓋７５の外面となる箇所には、両面に接着剤層が設けられて一方の面に保護片が貼着された固定用円形片（図示せず）を予め貼着することもある。
（２）ついで、所望のイラスト・写真類が表された適宜な大きさのシート８５を穴８２の位置に合わせてシートホルダー８０に挟んだ状態とし、その状態のままシートホルダー８０を差込口２０に差し込む。
（３）（２）の状態にて、ノブ２４を反時計方向へ回転操作して固定台３５をシートカット位置（ロ）に停止させる。
（４）そして、パンチ用押釦４５を押圧することによりシート８５から打ち抜かれたシート片８６を底蓋７５上に載置させた状態とする。
（５）ついで、ノブ２４を時計方向に１８０°回転操作して固定台３５をプレス位置（ハ）に停止させる。
（６）プレス位置（ハ）にて、プレス用押釦５３を押圧して可動部材３６上のレンズ体７１を下降させることにより、レンズ体７１の開口部７２を底蓋７５に嵌着させてレンズ体７１と底蓋７５とを一体化させる。
（７）ついで、ノブ２４を再び反時計方向に回転操作して回転盤２５を元のセット位置（イ）に復帰させる。そこで、封入されたシート片８６のイラスト類がレンズ作用により拡大されて表れたカプセル状装飾品７０を取り出す。
【００３８】
図１１に示す底蓋外し具９０は、カプセル状装飾品７０内のイラスト類を他のものに変更する場合において、底蓋７５を取外すために使用する道具である。その底蓋外し具９０は、矩形板状の掴み部９０ａの一端に形成された軸部９０ｂの先端に一文字形の鉤片９１を設けている。その鉤片９１については、前記底蓋７５の長穴７６に挿入することができるように設けられている。
【００３９】
以上に述べた通り、このカプセル状装飾品を作成する玩具用組付け器は、レンズ体、底蓋を所定箇所に夫々セットし、所望のイラスト類が表されたシートを収めたシートホルダーを差込口に差し込んだ状態として手動で回転盤の回転停止位置を変えつつ、パンチ用押釦やプレス用押釦による各工程作業を施すことにより、封入されたイラスト類がレンズ作用により拡大されて表れるカプセル状装飾品を、低年齢の子供が遊び感覚で楽しみつつ簡単に組付けることができる。
【図面の簡単な説明】
【００４０】
【図１】本発明のカプセル状装飾品を作成する玩具用組付け器の斜視図
【図２】同、平面図
【図３】玩具用組付け器の要部を示す縦断正面図
【図４】本体の上部ケースを除いた状態で示す玩具用組付け器の斜視図
【図５】駒片の平面図
【図６】カプセル状装飾品の平面図
【図７】カプセル状装飾品の分解斜視図
【図８】シートホルダーの斜視図
【図９】シートをシートホルダーに収める状況を示した説明図
【図１０】他の形態のレンズ体を示す平面図
【図１１】底蓋外し具をカプセル状装飾品に対応させて示した斜視図
【図１２】カプセル状装飾品の底蓋を底蓋外し具によって取外す要領を示す説明図
【符号の説明】
【００４１】
Ａ…カプセル状装飾品を作成する玩具用組付け器
１…本体
１２…支持枠  ２０…差込口
２２…回転軸  ２５…回転盤
２７…凹部
３０…節度機構
３５…固定台
３６…可動部材
４５…パンチ用押釦  ４６…穴抜き刃
５３…プレス用押釦  ５４…押圧部
４７，５５…バネ
５７…供給ホルダー
５８…ホルダー本体  ５９…アーム部
６１…駒片  ６２…係止穴
７０…カプセル状装飾品
７１…レンズ体  ７２…開口部
７５…底蓋
８０…シートホルダー
８５…シート  ８６…シート片
【図１】
2006271679.tif 000003
【図２】
2006271679.tif 000004
【図３】
2006271679.tif 000005
【図４】
2006271679.tif 000006
【図５】
2006271679.tif 000007
【図６】
2006271679.tif 000008
【図７】
2006271679.tif 000009
【図８】
2006271679.tif 000010
【図９】
2006271679.tif 000011
【図１０】
2006271679.tif 000012
【図１１】
2006271679.tif 000013
【図１２】
2006271679.tif 000014